(57)【特許請求の範囲】
【請求項１】
容器内に収容された液状物を含浸体を介して容器先端に配置された塗布体に送り当該塗布体により前記液状物を塗布する塗布体付き容器であって、
前記塗布体は、前記容器先端の前記液状物の出口に回転可能に配置され、前記含浸体に接触する円盤状の塗布体であり、
前記塗布体の軸線方向視において前記塗布体の軸心が前記容器先端の中心軸線からずれており、
前記塗布体を覆うキャップを前記容器に装着したときに、前記塗布体の軸心が前記中心軸線からずれている側の前記塗布体の外周部の一部が前記キャップの内周面と接触し、この接触している側とは前記中心軸線を挟んだ反対側の前記キャップの内周面と前記塗布体の外周部とは離間していることを特徴とする塗布体付き容器。
【請求項２】
前記容器は、その先端側の外周面に、前記キャップの開放端側の内周面に接触しキャップの挿脱をガイドするガイド面を有し、
前記キャップを引き抜くにあたって、前記塗布体の前記含浸体に接触している部分が、前記塗布体の軸心を挟んだ反対側の塗布位置へ回転するまで、前記ガイド面が、前記キャップを引き抜き方向に真っ直ぐにガイドすることを特徴とする請求項１記載の塗布体付き容器。
【発明の詳細な説明】
【技術分野】
【０００１】
本発明は、塗布体付き容器に関する。
【背景技術】
【０００２】
従来、塗布体付き化粧料容器として、容器内に収容された液状化粧料を中継芯を介して容器先端に配置された塗布体に送り当該塗布体により液状化粧料を塗布するものが知られている。以下の特許文献１に記載の塗布体付き化粧料容器は、塗布体を、中継芯に接触する円盤状の塗布体として容器先端の液状化粧料の出口に回転可能に配置し、この円盤状の塗布体が塗布の際に回転することによって、綺麗な線を描けるようになっている。
【先行技術文献】
【特許文献】
【０００３】
【特許文献１】特許第５５６６５１８号公報
【発明の概要】
【発明が解決しようとする課題】
【０００４】
ここで、塗布体を覆うキャップを塗布を開始すべく容器から取り外したときに、円盤状の塗布体に液状化粧料が付着している部分は、中継芯に接触している部分であるから、中継芯に接触している部分の反対側で皮膚に押し当てる部分には、液状化粧料が付着していない。従って、描き始めにあっては、液状化粧料の付いていない部分から線を描くため、液状化粧料が付着している部分が回転して皮膚に当たるまでの間、液状化粧料の付いていない無駄な線を描くことになる。このような場合、線を重ね描きする必要がある。
【０００５】
そこで、本発明は、液状化粧料を始めとした液状物の付いている線を描き始めから描くことができる塗布体付き容器を提供することを目的とする。
【課題を解決するための手段】
【０００６】
本発明による塗布体付き容器は、容器内に収容された液状物を含浸体を介して容器先端に配置された塗布体に送り当該塗布体により液状物を塗布する塗布体付き容器であって、塗布体は、容器先端の液状物の出口に回転可能に配置され、含浸体に接触する円盤状の塗布体であり、塗布体の軸線方向視において塗布体の軸心が容器先端の中心軸線からずれており、塗布体を覆うキャップを容器に装着したときに、塗布体の軸心が中心軸線からずれている側の塗布体の外周部の一部がキャップの内周面と接触し、この接触している側とは中心軸線を挟んだ反対側のキャップの内周面と塗布体の外周部とは離間していることを特徴としている。
【０００７】
このような塗布体付き容器によれば、円盤状の塗布体の軸線方向視において塗布体の軸心が容器先端の中心軸線からずれていると共に、塗布体を覆うキャップを容器に装着したときに塗布体の外周部の一部がキャップの内周面と接触しているため、キャップを引き抜くと、キャップの内周面に接触している塗布体が擦られながら回転する。このため、塗布体の含浸体に接触していた部分を、塗布体の軸心を挟んだ反対側の塗布位置へ位置させることができる。その結果、液状物の付いている線を描き始めから描くことができる。
【０００８】
ここで、容器は、その先端側の外周面に、キャップの開放端側の内周面に接触しキャップの挿脱をガイドするガイド面を有し、キャップを引き抜くにあたって、塗布体の含浸体に接触している部分が、塗布体の軸心を挟んだ反対側の塗布位置へ回転するまで、ガイド面が、キャップを引き抜き方向に真っ直ぐにガイドする構成を採用するのが好ましい。このような構成を採用した場合、キャップが容器のガイド面にガイドされながら真っ直ぐに引き抜かれて確実に円盤状の塗布体が回転し、塗布体の含浸体に接触していた部分が、塗布体の軸心を挟んだ反対側の塗布位置へ位置する。このため、液状物の付いている線を描き始めから確実に描くことができる。
【発明の効果】
【０００９】
このように本発明によれば、液状物の付いている線を描き始めから描くことができる塗布体付き容器を提供できる。
【図面の簡単な説明】
【００１０】
【図１】本発明の実施形態に係る塗布体付き容器の外観を示す斜視図である。
【図２】図１に示す塗布体付き容器の要部の縦断面図である。
【図３】図２のIII-III矢視図である。
【図４】図１の状態からキャップを取り外した状態を示す斜視図である。
【発明を実施するための形態】
【００１１】
以下、本発明による塗布体付き容器の好適な実施形態について図１〜図４を参照しながら説明する。図１は、本発明の実施形態に係る塗布体付き容器の斜視図、図２及び図３は、塗布体付き容器の各縦断面図、図４は、キャップを取り外した容器を示す斜視図であり、本実施形態の塗布体付き容器は、液状物を収容し使用者が必要に応じて適宜容器先端の塗布体５により塗布するものである。
【００１２】
塗布体付き容器は、ここでは、液状化粧料を被塗布部である皮膚等に塗布する際に用いられる液状化粧料容器であり、特に、アイライナーのように瞼に細い線を描いたり、アイブロウのように眉毛の細い線を描くのに好適なものである。
【００１３】
図１〜図４に示すように、塗布体付き液状化粧料容器１００は、容器を構成する容器本体１及び先筒２と、容器本体１内に収容された中綿３と、容器本体１及び先筒２内に収容された含浸体としての中継芯４と、先筒２の先端に装着された塗布体５と、塗布体５を覆うように容器に着脱可能に装着されたキャップ１０と、を概略備える。
【００１４】
容器本体１は、例えばＰＰ等から形成され、図２〜図４に示すように、先細の段付き円筒状に構成される。この容器本体１は、その段差部１ａより後側の筒孔に、液状化粧料を含浸した中綿３を収容すると共に、その後端の開口が、尾栓７を装着することにより閉じられている。また、容器本体１は、先端側の外周面に、キャップ１０を装着するための円環状の凹部１ｅを備える。そして、容器本体１の凹部１ｅより前側の外周面（先端側の外周面）は、キャップ１０の開放端側の内周面に接触し当該キャップ１０の挿脱をガイドするためのガイド面１ｓとされる。このガイド面１ｓは、断面円形を成す外周面が軸線方向に真っ直ぐに延びる形状となっている。
【００１５】
先筒２は、例えばＰＰ等から形成され、後半部２ａが円筒状に構成されると共に、これより前側が扁平筒状部２ｂとされる。扁平筒状部２ｂは、後半部２ａに対し段差部２ｃを介して外面が拡径されて横断面（軸線方向に直交する断面）略長方形の四角筒形状を呈すると共に、この横断面四角筒形状の長径側及び短径側の外面の両方が先端へ行くに従い多少内側に湾曲しながら小さくなっていく先細り形状とされている。この扁平筒状部２ｂの扁平な筒孔と後半部２ａの円形の筒孔とは、図２に示すように、扁平な筒孔の長径側の径と円形の筒孔の径とが一致し、図３に示すように、扁平な筒孔の短径側が段差２ｇを介して円形の筒孔に繋がる構成となっている。
【００１６】
また、図２及び図４に示すように、先筒２の先端の開口２ｘが液状化粧料の出口とされ、図２〜図４に示すように、開口縁の短径側（図２の紙面垂直方向）に、長径側（図２の上下方向）の開口縁２ｄよりも前方に突出する突出部２ｅを、一対対向して備える。この突出部２ｅには、塗布体５を回転可能に支持するための支持穴２ｆが短径方向に貫くようにそれぞれ設けられている。この支持穴２ｆの軸心位置については後述する。
【００１７】
そして、先筒２は、円筒状の後半部２ａが、容器本体１の円筒状の先端部の筒内に進入し、その段差部２ｃが容器本体１の先端面に突き当たり（図３参照）、この状態で、容器本体１に回転不能且つ軸線方向移動不能に装着される。また、この状態で、容器本体１の筒孔と先筒２の筒孔は連通した状態にある。
【００１８】
中継芯４は、例えばやポリエステルやナイロン等を糊で固めて研磨したもので、軸線方向に延在している。図２及び図３に示すように、中継芯４は、容器本体１及び先筒２の筒孔内に配置され、その後端側の部分が中綿３に差し込まれると共に、その先端側の部分が、先筒２の先端の開口２ｘへ向かうように延びている。この中継芯４は、毛細管現象により中綿３の液状化粧料を吸い上げ当該中継芯４の先端へ供給する。
【００１９】
塗布体５は、例えばＰＢＳ等から形成され、図２〜図４に示すように、円盤状に構成される。この円盤状の塗布体５は、その軸心の位置に、軸線方向外側へ突出する軸部５ａをそれぞれ備える。そして、円盤状の塗布体５の厚みは、例えばアイライン等の細い線を描くのに好適な厚みとされている。なお、塗布体５の形状は、これに限定されるものではなく、要は、円盤状であれば良い。
【００２０】
ここで、特に本実施形態においては、図２に示すように、塗布体５の軸線方向視において、塗布体５の軸心Ａ１が、容器先端の中心軸線Ａ２上から外れ、当該中心軸線Ａ２から長さＬずれた位置（オフセットされた位置）にあるように、塗布体５が取り付けられている。従って、塗布体５の軸部５ａを支持する先筒２の前述した支持穴２ｆの軸心は、塗布体５の軸線方向視において容器先端の中心軸線Ａ２から同様にずれた位置にある。
【００２１】
そして、このような先筒２の支持穴２ｆに塗布体５の軸部５ａを装着するにあたっては、図３に示すように、先筒２の対向する突出部２ｅ，２ｅ同士を短径方向に多少押し広げながら、円盤状の塗布体５を突出部２ｅ，２ｅ同士間に押し込み、その軸部５ａ，５ａを先筒２の支持穴２ｆ，２ｆに進入させれば良く、このようにして塗布体５を先筒２の先端部に回転可能に支持させることができる。そして、この状態で、円盤状の塗布体５の外周面は、中継芯４の先端面４ａに適度な力で接触した状態にある。
【００２２】
なお、塗布体５を、中心軸と当該中心軸以外の円盤部分との２部品とし、中心軸以外の円盤部分に中心軸を嵌着して一体化するように構成しても良い。
【００２３】
キャップ１０は、図２及び図３に示すように、塗布体５等を保護するためのもので、外キャップ１０ａと、外キャップ１０ａ内に配置される内キャップ１０ｂと、を備える。
【００２４】
外キャップ１０ａは、例えばＰＰ等から形成され、有底円筒状に構成される。この外キャップ１０ａの軸線方向中程の内周面には、円環状の凸部１０ｃが、内キャップ１０ｂを軸線方向に係合するためのものとして設けられる。また、外キャップ１０ａの開放端側の内周面には、容器本体１の円環状の凹部１ｅに軸線方向に係合するための円環状の凸部１０ｅが設けられる。そして、外キャップ１０ａの凸部１０ｅより前側の内周面は、キャップ１０の容器本体１に対する挿脱時に、容器本体１のガイド面１ｓにガイドされる断面円形の内周面であり、容器本体１のガイド面１ｓの軸線方向長と同程度の長さで軸線方向に真っ直ぐに延びている。
【００２５】
内キャップ１０ｂは、例えば、ＰＰ、又は、エラストマー樹脂、又は、ＮＢＲ等のゴムから形成され、略円筒状に構成される。内キャップ１０ｂの開放端側の端部１０ｄは、外キャップ１０ａの円環状の凸部１０ｃに軸線方向に係合すべく、円環状に外方に多少突出する形状を呈している。
【００２６】
この内キャップ１０ｂは、外キャップ１０ａに内挿され、その先端側の端部が、外キャップ１０ａの底部に突き当たり、その開放端側の端部１０ｄが、外キャップ１０ａの円環状の凸部１０ｃに当接することで、外キャップ１０ａに回転可能且つ軸線方向移動不能に装着される。なお、内キャップ１０ｂは、外キャップ１０ａに回転不能且つ軸線方向移動不能に装着されても良い。
【００２７】
そして、外キャップ１０ａ及び内キャップ１０ｂを備えたキャップ１０は、先筒２及び容器本体１に外挿され、外キャップ１０ａの円環状の凸部１０ｅが、容器本体１の円環状の凹部１ｅに軸線方向に係合することで、容器本体１に着脱可能に装着される。
【００２８】
ここで、前述したように、塗布体５の軸線方向視において、塗布体５の軸心Ａ１は容器先端の中心軸線Ａ２からずれており、このずれに従って、円盤状の塗布体５の外周部の一部（図２において図示下部）が、内キャップ１０ｂの内周面と位置Ｃで適度な接触圧で接触するようになっている。
【００２９】
なお、ここでは、塗布体５がキャップ１０の内キャップ１０ｂの内周面に接触しているが、内キャップがないキャップの場合には、内キャップがないキャップの内周面に接触することになる。
【００３０】
このように構成された塗布体付き液状化粧料容器１００にあっては、中綿３に含浸された液状化粧料は、毛細管現象により中継芯４を通してその先端面４ａに送り出され、先端面４ａに接触している塗布体５の外周面に転写された状態にある。
【００３１】
この状態から、使用者が塗布を開始すべく、キャップ１０を容器本体１から引き抜くと、塗布体５の外周部の一部がキャップ１０の内周面と接触しているため、塗布体５が擦られながら回転する。このため、塗布体５の中継芯４に接触していた部分（液状化粧料が転写された部分）が、塗布体５の軸心Ａ１を挟んだ反対側の塗布位置（図２及び図３における左前方の位置）へ位置することになる。すなわち、塗布体５の液状化粧料が付いている部分が、皮膚に接触する塗布位置に位置することになる。
【００３２】
この状態で、塗布体５を皮膚に押し当てると、その押し当てたところに液状化粧料が直ちに付くことになる。そして、容器を皮膚に沿って移動させ塗布体５を回転させることにより、最初の液状化粧料の付着位置から続けて液状化粧料の線を描くことができる。
【００３３】
このように、本実施形態においては、円盤状の塗布体５の軸線方向視において塗布体５の軸心Ａ１が容器先端の中心軸線Ａ２からずれていると共に、キャップ１０を容器に装着したときに塗布体５の外周部の一部がキャップ１０の内周面と接触しているため、キャップ１０を引き抜くと、キャップ１０の内周面に接触している塗布体５が擦られながら回転し、塗布体５の中継芯４に接触していた部分を、塗布体５の軸心Ａ１を挟んだ反対側の塗布位置へ位置させることができ、その結果、液状化粧料の付いている線を描き始めから描くことができる。
【００３４】
そして、このような円盤状の塗布体５の回転により線が描かれるため、皮膚が引っ張られることがなく使用感が良く、且つ、線が飛び飛びになることがなく綺麗に描くことができる。
【００３５】
また、本実施形態においては、容器の先端側の外周面に、キャップ１０の開放端側の内周面に接触しキャップ１０の挿脱をガイドするガイド面１ｓを有し、キャップ１０を引き抜くにあたって、塗布体５の中継芯４に接触している部分が、塗布体５の軸心Ａ１を挟んだ反対側の塗布位置へ回転するまで、ガイド面１ｓが、キャップ１０を引き抜き方向に真っ直ぐにガイドするようになっている。このため、キャップ１０がガイド面１ｓにガイドされながら真っ直ぐに引き抜かれて確実に円盤状の塗布体５が回転し、塗布体５の中継芯４に接触していた部分が、塗布体５の軸心Ａ１を挟んだ反対側の塗布位置へ位置することになり、液状化粧料の付いている線を描き始めから確実に描くことができる。
【００３６】
以上、本発明をその実施形態に基づき具体的に説明したが、本発明は上記実施形態に限定されるものではなく、例えば、上記実施形態においては、キャップ１０の引き抜きによる塗布体５の回転によって、塗布体５の中継芯４に接触していた部分を、塗布体５の軸心Ａ１を挟んだ反対側の塗布位置へ位置させるようにしているが、塗布体５をそれ以上回転させるようにしても勿論良い。
【００３７】
また、上記実施形態においては、液状化粧料を含浸した中綿３を容器本体１内に収容し、液状化粧料を中綿３から中継芯４を介して塗布体５に供給する中綿式を採用しているが、中綿３がなく液状化粧料を容器本体１内に直接充填し蛇腹構造により液状化粧料の流量をコントロールしながら中継芯４を介して塗布体５に供給する直液式を採用しても良い。
【００３８】
また、上記実施形態においては、塗布体５を、含浸体である中継芯４に接触させるようにしているが、中継芯４をなくして、中継芯４の先端があったところまで中綿３の先端を延ばし、中綿３を、塗布体５に接触する含浸体としても良い。
【００３９】
また、上記実施形態においては、容器本体１と先筒２を別部品としているが、一体品の容器としても勿論良い。
【００４０】
また、上記実施形態においては、液状物を液状化粧料とし、塗布体付き容器を塗布体付き液状化粧料容器としているが、これに限定されるものではなく、液状物を、例えば、筆記用具等のインキや糊等とした塗布体付き容器に対しても適用できる。
【符号の説明】
【００４１】
１…容器本体（容器）、１ｓ…ガイド面、２…先筒（容器）、２ｘ…開口（出口）、４…中継芯（含浸体）、５…塗布体、１０…キャップ、１００…塗布体付き液状化粧料容器（塗布体付き容器）、Ａ１…塗布体の軸心、Ａ２…容器先端の中心軸線。
【図１】
0006442684.tif 000002
【図２】
0006442684.tif 000003
【図３】
0006442684.tif 000004
【図４】
0006442684.tif 000005